(57)【要約】【課題】複数のＬＥＤを用いることなく、操縦者や運転者等が視認し易い所望の配光が容易に得られると共に、小形にすることのできる標識灯を提供すること。【解決手段】基体１と；この基体１に立設し、光軸を取り巻くように配光が大きな領域を有している発光ダイオード素子２と；発光ダイオード素子２の光軸上の光を遮ることなく直進させると共に、光軸の周辺部の放射光をほぼ直交方向に反射させる制光部材３と；基体１、発光ダイオード素子２および制光部材３を収容した透光性グローブ５と；この透光性グローブ５内に導入され発光ダイオード素子２と接続される給電部材６と；を具備する。【選択図】      図１
2004300797.tif 000002
【特許請求の範囲】
【請求項１】
基体と；
この基体に立設し、光軸を取り巻くように配光が大きな領域を有している発光ダイオード素子と；
発光ダイオード素子の光軸上の光を遮ることなく直進させると共に、光軸の周辺部の放射光をほぼ直交方向に反射させる制光部材と；
基体、発光ダイオード素子および制光部材を収容した透光性グローブと；
この透光性グローブ内に導入され発光ダイオード素子と接続される給電部材と；
を具備していることを特徴とする標識灯。
【請求項２】
基体と；
この基体に立設し、光軸を取り巻くように配光が大きな領域を有している発光ダイオード素子と；
発光ダイオード素子の光軸上の光を拡散させる拡散レンズが中央部に配置されていると共に、光軸の周辺部の放射光をほぼ直交方向に反射させるように構成された漏斗形状の制光部材と；
基体、発光ダイオード素子および制光部材を収容した透光性グローブと；
この透光性グローブ内に導入され発光ダイオード素子と接続される給電部材と；
を具備していることを特徴とする標識灯。
【発明の詳細な説明】
【０００１】
【発明の属する技術分野】本発明は空港や道路などにおいて用いられる標識灯に関する。
【従来の技術】空港における滑走路や誘導路などの路幅あるいは道路の路肩位置などを表示するため、路辺に沿い地表面上に設置される標識灯がある（例えば、特許文献１参照）。
【０００２】
この地上形の標識灯は、路上を走行する航空機や自動車の操縦者や運転者へ、路肩などの存在を知らせる作用をなし、路上を安全に誘導する働きをしている。
【０００３】
そして、この標識灯は灯器からほぼ全面に均等な発光が要求されるのではなく、操縦者や運転者から見える狭い角度範囲に高い光放射が行われるもので、たとえば飛行場の地上形の誘導路灯の配光規格は、図４に示すとおりのものである。
【０００４】
そして、従来の地上形の誘導路灯９は、図５に示すように、基体９０に複数のＬＥＤ９１を立設し、この基体９０に対向するように漏斗状の制光部材９２を設け、上記図３の配光を得るように、基体９０の中央部に位置するＬＥＤ９１の放射光を直進させ、基体９０の周縁部に位置するＬＥＤ９１の放射光を直交方向に反射させている。
【特許文献１】
特開２０００−４５２３７号公報
【発明が解決しようとする課題】しかしながら、このような誘導路灯９は、光源に複数のＬＥＤを用いているため、誘導路灯の小型化が困難であり、また複数のＬＥＤ間の発光の色斑が生じ易く、誘導路灯から放射される光は、方向によって異なる色になってしまう不具合がある。
【０００５】
また、上方に放射される光の配光は、漏斗状制光部材の中央に形成された開口の大きさに影響されるため、上方の配光特性は狭角配光となり易かった。
【課題を解決するための手段】
本発明の請求項１に記載の標識灯は、基体と；この基体に立設し、光軸を取り巻くように配光が大きな領域を有している発光ダイオード素子と；発光ダイオード素子の光軸上の光を遮ることなく直進させると共に、光軸の周辺部の放射光をほぼ直交方向に反射させる制光部材と；基体、発光ダイオード素子および制光部材を収容した透光性グローブと；この透光性グローブ内に導入され発光ダイオード素子と接続される給電部材と；を具備していることを特徴とする。
【０００６】
このようなものにあっては、発光ダイオード素子を点灯したとき、その発光ダイオードの光軸上の放射光は、制光部材によって遮られることなく、直進して放出される。
【０００７】
また、発光ダイオード素子の光軸周辺部の放射光は、制光部材によって、略直交方向に反射されて、透光性グローブの側方から放出され、したがって、グローブ側方にある幅をもってその全周からほぼ水平方向に光放出がなされることになる。
【０００８】
ここで、本発明および以下の発明において、発光ダイオード素子が、その光軸を取り巻くように配光が大きな領域を有するようにするためには、発光ダイオード素子の電極チップをパラボラ形としたり、発光ダイオード素子の樹脂外囲器の先端部に配置されるレンズの形状を適宜定めることにより行うことができ、また発光ダイオード素子に収容される複数の半導体チップの配列を定めることになって成しても良い。
【０００９】
本発明の請求項２に記載の標識灯は、基体と；この基体に立設し、光軸を取り巻くように配光が大きな領域を有している発光ダイオード素子と；発光ダイオード素子の光軸上の光を拡散させる拡散レンズが中央部に配置されていると共に、光軸の周辺部の放射光をほぼ直交方向に反射させるように構成された漏斗形状の制光部材と；基体、発光ダイオード素子および制光部材を収容した透光性グローブと；
【００１０】
この透光性グローブ内に導入され発光ダイオード素子と接続される給電部材と；を具備していることを特徴とする。
【００１１】
上記発明においては、発光ダイオード素子を点灯したとき、その発光ダイオードの光軸上の放射光は、制光部材の中央部に配設された拡散レンズによって拡散されて放出される。
【００１２】
また、発光ダイオード素子の光軸周辺部の放射光は、制光部材によって、略直交方向に反射されて、透光性グローブの側方から放出され、したがって、グローブ側方にある幅をもってその全周からほぼ水平方向に光放出がなされることになる。
【００１３】
なお、上記各発明の標識灯は、空港の滑走路や誘導路などのほか、例えば自動車道路などにおける路幅部分などを表示する地上に設置される標識や表示など、種々の用途に適用することができる。
【発明の実施の形態】以下、本発明の実施の形態を図面を参照して説明する。図は、たとえば飛行場における誘導路の路幅を示す地上形の標識灯（誘導路灯）Ａを示し、図１は断面正面図である。
【００１４】
図中１は基体、ここではプリント配線基板で、基板１の表面側には青色発光する高出力型の発光ダイオード素子２が頂部の光放射部を上方に向け立設した状態で配設されている。ここで、本発明に用いられる発光ダイオード素子は、例えば図２に図示するように、その光軸（通常は、発光ダイオード素子の光出射方向の中心軸となる）を取り巻くように配光が大きな領域を有し、換言すれば、光軸上の放射光量よりも、その光軸の周縁領域の放射光量が大きくなっている。
【００１５】
３はこの発光ダイオード素子２に対向して配設された合成樹脂材料や金属板で略漏斗形状に成形した筒状の制光部材で、縦断した傾斜面は略直線で略漏斗状に形成された外表面３１には成形材料の生地のままや被膜による光反射面（図示しない。）が形成してある。そして、基板１上の光ダイオード素子２の頂部は制光部材３の中空部３２に臨んでいる。
【００１６】
また、４はホルダを兼ねたカバー部材で、開口部には上記配線基板１、制光部材３を固定しているとともにこれらを覆う透光性のガラスまたは合成樹脂製のグローブ５を防水構造でもって固着してある。なお、図中６は給電部材を構成する給電線である。
【００１７】
そして、この地上形の標識灯（誘導路灯）Ａを設置して電源から給電線６を介し給電すると、発光ダイオード素子２は点灯し、発光ダイオード素子２の光軸に沿う放射光は、制光部材３の略漏斗状の中空部３２を通り直射光となってグローブ５の上方から放出７Ｄされる。
【００１８】
また、複数列の発光ダイオード素子２の光軸の周囲に放射される光は、略漏斗形状の外表面３１に指向しているので、この外表面３１に入射し、略直角方向に反射されてグローブ５の側方から放出７Ｒされる。なお、このとき略漏斗形状の制光部材３の周囲には発光ダイオード素子２の光軸の周囲の放射光は立体的に放出されるので、グローブ５側方に所定のある幅をもって全周から放出される。
【００１９】
しかも、発光ダイオード素子２から放射される光は、光軸上のものよりも、その光軸の周縁領域の放射光量が大きくなっているため、この標識灯（誘導路灯）Ａのグローブ５からの放射光７Ｄ，７Ｒは、上方７Ｄからは少なく、側方７Ｒからは略水平方向に大量に放出される結果、操縦者が視認し易い図３に示す所望の配光が容易に得られる。
【００２０】
また、この場合は青色の発光ダイオード素子２であるので、特にフィルターを必要とせず、また、発光ダイオード素子２は低消費電力、長寿命であり交換などの手間や電力費、設備費を安価に抑えることができる。
【００２１】
次に、図３は本発明に係わる標識灯に用いられる制光部材の他の実施の形態を示す。図中、図１と同一部分には同一の符号を付してその説明は省略する。
【００２２】
この図２に示す制光部材３Ａは、略漏斗形状をなす外表面３１部が湾曲面形状をなしているもので、発光ダイオード素子２の光軸周縁の光放射方向と対応してこの標識灯軸と直交する方向に反射ないしは屈折する曲面を備えている。
【００２３】
また、漏斗形状の制光部材３Ａの中央開口３２には、拡散レンズ８が配置されている。したがって、発光ダイオード素子２を点灯すれば、その発光ダイオードの光軸上の放射光は、制光部材３Ａの中央部に配設された拡散レンズ８によって拡散されて放出されるため、透光性グローブ５の上方からの放出光量や分布を制御することができる。
【００２４】
なお、本発明は上記実施の形態に限定されない。たとえば標識灯は上記実施の形態に示した構造や用途に限らず、他の構造や用途のものであってもよい。また、上記実施の形態においては、地上形の標識灯に本発明を適用させたものを説明しているが、地面に埋設する埋設形のものであっても、適用可能である。
【００２５】
さらには、発光ダイオード素子２を用途に応じて任意の周期で点滅させて動作させても良い。
【発明の効果】請求項１および２の発明によれば、光源に複数の発光ダイオード素子を用いなくても、操縦者や運転者等が視認し易い所望の配光が容易に得られると共に、小形にすることのできる標識灯を提供することができる。
【００２６】
また、請求項２記載の発明によれば、漏斗状制光部材の中央部に配設された拡散レンズによって発光ダイオード素子からの放射光は拡散されて放出されるため上方からの放出光量や分布を簡単に制御することができる。
【図面の簡単な説明】
【図１】本発明の標識灯（誘導路灯）の実施の形態を示す断面正面図
【図２】本発明に適用される発光ダイオード素子の放射光の配光特性を示す図
【図３】本発明の標識灯（誘導路灯）の他の実施形態を示す断面正面図
【図４】誘導路灯の配光規格特性を示すグラフ
【図５】従来の標識灯を示す一部断面正面図
【符号の説明】
Ａ：標識灯（誘導路灯）
１：基体（配線基板）
２：発光ダイオード素子
３，３Ａ：制光部材
４：カバー部材
５：透光性グローブ
６：給電部材
【図１】
2004300797.tif 000003
【図２】
2004300797.tif 000004
【図３】
2004300797.tif 000005
【図４】
2004300797.tif 000006
【図５】
2004300797.tif 000007